【手続補正書】
【提出日】平成20年6月12日(2008.6.12)
【手続補正１】
【補正対象書類名】特許請求の範囲
【補正対象項目名】全文
【補正方法】変更
【補正の内容】
【特許請求の範囲】
【請求項１】
商用交流電力を直流電力に変換する交流／直流変換手段と、直流電力を三相交流電力に変換するために三相ブリッジ接続されたスイッチング素子を有するインバータ手段と、該インバータ手段の各相の高電圧側及び低電圧側のスイッチング素子のオン・オフを制御することで前記インバータ手段に接続された三相負荷に通電を行う制御手段と、三相負荷内部配線や三相負荷への配電線路の断線を検知する断線検知手段と、を具備する三相負荷駆動制御装置において、前記断線検知手段は、
a)前記インバータ手段に印加される直流電圧により該インバータ手段に流れる直流電流を検出する電流検出手段と、
b)前記制御手段に含まれ、前記インバータ手段の或る一相の高電圧側のスイッチング素子をオン、他の二相の低電圧側のスイッチング素子をオンするとともにそれ以外のスイッチング素子をオフするという駆動パターンに従ったスイッチング素子の駆動を各相について順番に実行する断線検知用制御手段と、
c)該断線検知用制御手段により前記駆動パターンで以てスイッチング素子がオン・オフされる毎に前記電流検出手段により電流が流れているか否かを判定し、電流が流れていない駆動パターンが存在した場合に断線があると判断する判断手段と、を備え、
前記制御手段は、三相負荷の通常の駆動制御を行っている期間に一時的にその駆動を停止し、該駆動停止期間中に前記断線検知手段により三相負荷内部配線や三相負荷への配電線路の断線検知を実行し、前記判断手段により断線と判断された場合に、三相負荷のそれ以降の駆動を停止することを特徴とする三相負荷駆動制御装置。
【請求項２】
商用交流電力を直流電力に変換する交流／直流変換手段と、直流電力を三相交流電力に変換するために三相ブリッジ接続されたスイッチング素子を有するインバータ手段と、該インバータ手段の各相の高電圧側及び低電圧側のスイッチング素子のオン・オフを制御することで前記インバータ手段に接続された三相負荷に通電を行う制御手段と、三相負荷内部配線や三相負荷への配電線路の断線を検知する断線検知手段と、を具備する三相負荷駆動制御装置において、前記断線検知手段は、
a)前記インバータ手段に印加される直流電圧により該インバータ手段に流れる直流電流を検出する電流検出手段と、
b)前記制御手段に含まれ、前記インバータ手段の互いに異なる相の高電圧側のスイッチング素子と低電圧側のスイッチング素子をオンするとともにそれ以外のスイッチング素子をオフするという駆動パターンに従ったスイッチング素子の駆動を二種以上の駆動パターンについて順次行うことにより、少なくとも三相出力の全てについて電流が流れ得る経路を形成する断線検知用制御手段と、
c)該断線検知用制御手段により前記駆動パターンで以てスイッチング素子がオン・オフされる毎に前記電流検出手段により電流が流れているか否かを判定し、電流が流れていない駆動パターンが存在した場合に断線があると判断する判断手段と、を備え、
前記制御手段は、三相負荷の通常の駆動制御を行っている期間に一時的にその駆動を停止し、該駆動停止期間中に前記断線検知手段により三相負荷内部配線や三相負荷への配電線路の断線検知を実行し、前記判断手段により断線と判断された場合に、三相負荷のそれ以降の駆動を停止することを特徴とする三相負荷駆動制御装置。
【請求項３】
前記断線検知手段は、三相負荷の起動時に該起動に先立って三相負荷内部配線や三相負荷への配電線路の断線検知を実行することを特徴とする請求項１又は２に記載の三相負荷駆動制御装置。
【手続補正２】
【補正対象書類名】明細書
【補正対象項目名】０００７
【補正方法】変更
【補正の内容】
【０００７】
上記課題を解決するために成された第１発明は、商用交流電力を直流電力に変換する交流／直流変換手段と、直流電力を三相交流電力に変換するために三相ブリッジ接続されたスイッチング素子を有するインバータ手段と、該インバータ手段の各相の高電圧側及び低電圧側のスイッチング素子のオン・オフを制御することで前記インバータ手段に接続された三相負荷に通電を行う制御手段と、三相負荷内部配線や三相負荷への配電線路の断線を検知する断線検知手段と、を具備する三相負荷駆動制御装置において、前記断線検知手段は、
a)前記インバータ手段に印加される直流電圧により該インバータ手段に流れる直流電流を検出する電流検出手段と、
b)前記制御手段に含まれ、前記インバータ手段の或る一相の高電圧側のスイッチング素子をオン、他の二相の低電圧側のスイッチング素子をオンするとともにそれ以外のスイッチング素子をオフするという駆動パターンに従ったスイッチング素子の駆動を各相について順番に実行する断線検知用制御手段と、
c)該断線検知用制御手段により前記駆動パターンで以てスイッチング素子がオン・オフされる毎に前記電流検出手段により電流が流れているか否かを判定し、電流が流れていない駆動パターンが存在した場合に断線があると判断する判断手段と、を備え、
前記制御手段は、三相負荷の通常の駆動制御を行っている期間に一時的にその駆動を停止し、該駆動停止期間中に前記断線検知手段により三相負荷内部配線や三相負荷への配電線路の断線検知を実行し、前記判断手段により断線と判断された場合に、三相負荷のそれ以降の駆動を停止することを特徴としている。
【手続補正３】
【補正対象書類名】明細書
【補正対象項目名】０００９
【補正方法】変更
【補正の内容】
【０００９】
そこで、断線検知用制御手段は、上記三種の駆動パターンを順次試みて、判断手段はそれぞれの駆動パターンにおいて電流検出手段により電流が流れているか否かを判定し、いずれの場合でもインバータ手段に直流電流が流れていることが確認できたならば断線が無いものと判断する。そして、断線検知手段により断線が有ると判断された場合には、三相負荷のそれ以降の駆動を停止することにより、無駄な駆動を速やかに中止する。
【手続補正４】
【補正対象書類名】明細書
【補正対象項目名】００１０
【補正方法】変更
【補正の内容】
【００１０】
上記課題を解決するために成された第２発明は、商用交流電力を直流電力に変換する交流／直流変換手段と、直流電力を三相交流電力に変換するために三相ブリッジ接続されたスイッチング素子を有するインバータ手段と、該インバータ手段の各相の高電圧側及び低電圧側のスイッチング素子のオン・オフを制御することで前記インバータ手段に接続された三相負荷に通電を行う制御手段と、三相負荷内部配線や三相負荷への配電線路の断線を検知する断線検知手段と、を具備する三相負荷駆動制御装置において、前記断線検知手段は、
a)前記インバータ手段に印加される直流電圧により該インバータ手段に流れる直流電流を検出する電流検出手段と、
b)前記制御手段に含まれ、前記インバータ手段の互いに異なる相の高電圧側のスイッチング素子と低電圧側のスイッチング素子をオンするとともにそれ以外のスイッチング素子をオフするという駆動パターンに従ったスイッチング素子の駆動を二種以上の駆動パターンについて順次行うことにより、少なくとも三相出力の全てについて電流が流れ得る経路を形成する断線検知用制御手段と、
c)該断線検知用制御手段により前記駆動パターンで以てスイッチング素子がオン・オフされる毎に前記電流検出手段により電流が流れているか否かを判定し、電流が流れていない駆動パターンが存在した場合に断線があると判断する判断手段と、を備え、
前記制御手段は、三相負荷の通常の駆動制御を行っている期間に一時的にその駆動を停止し、該駆動停止期間中に前記断線検知手段により三相負荷内部配線や三相負荷への配電線路の断線検知を実行し、前記判断手段により断線と判断された場合に、三相負荷のそれ以降の駆動を停止することを特徴とする。
【手続補正５】
【補正対象書類名】明細書
【補正対象項目名】００１１
【補正方法】変更
【補正の内容】
【００１１】
この第２発明に係る三相負荷駆動制御装置では、断線検知用制御手段は、例えばＲ相の高電圧側のスイッチング素子をオン、Ｓ相の低電圧側のスイッチング素子をオンするとともにそれ以外のスイッチング素子を全てオフするという駆動パターンを設定し、インバータ手段に直流電圧を印加する。この場合、Ｒ相又はＳ相の配電線路に断線があればインバータ手段には直流電流は流れない。次いで例えばＲ相の高電圧側のスイッチング素子をオン、Ｔ相の低電圧側のスイッチング素子をオンするとともにそれ以外のスイッチング素子を全てオフするという駆動パターンを設定し、インバータ手段に直流電圧を印加する。この場合、Ｒ相又はＴ相の配電線路に断線があればインバータ手段には直流電流は流れない。そこで、判断手段はそれぞれの駆動パターンにおいて電流検出手段により電流が流れているか否かを判定し、いずれの場合でもインバータ手段に直流電流が流れていることが確認できたならば断線が無いものと判断する。そして、断線検知手段により断線が有ると判断された場合には、三相負荷のそれ以降の駆動を停止することにより、無駄な駆動を速やかに中止する。